【手続補正書】
【提出日】平成19年7月20日(2007.7.20)
【手続補正１】
【補正対象書類名】明細書
【補正対象項目名】特許請求の範囲
【補正方法】変更
【補正の内容】
【特許請求の範囲】
【請求項１】
幼生養殖液を少なくとも１０ｃｍから１ｍ未満の深さに保持する環状タンクを準備し、
該タンクの環状側壁の周囲に配置され、幼生養殖液の水平な循環を起こさせるための複数の出口を介し、幼生の損傷を防ぐ選択した出口流速で、実質的に滅菌され、濾過された幼生養殖液を該タンクに連続的に供給し、
該養殖液を、そこを通る養殖液の流速が幼生に損傷を与えないように選択される幼生スクリーンを含む、タンクの深さを制御する排水アセンブリーを通して連続的に排水し、かつ、
実質的に滅菌され、濾過された幼生養殖液の温度を調節することにより、養殖液を幼生種の養殖に適応する温度に維持する工程を含むことを特徴とするテヌス・エス・ピー・ピー（Thenus spp.）のロックロブスターまたはスリッパロブスターの幼生の養殖方法。
【請求項２】
実質的に滅菌され、濾過された幼生養殖液の供給源、
少なくとも１０ｃｍから１ｍ未満の深さに該幼生養殖液を保持するための環状タンク、
該供給源と接続され、該養殖液をタンクに送り、水平な循環を起こさせるための、タンクの環状側壁にある、複数の出口、
そこを通る養殖液の流速が幼生に損傷を与えないように選択される幼生スクリーンを含み、タンク内での選択されたレベルを維持するために配置された排水手段、および
該養殖液の供給源の温度制御手段
を含んでなるテヌス・エス・ピー・ピーのロックロブスターまたはスリッパロブスターの幼生の養殖装置。
【請求項３】
幼生養殖タンクが実質的に部分円形の末端部分と接続した直線部分を有する環状水路を含む請求項２記載の甲殻類の幼生養殖装置。
【請求項４】
水路が、線寸法と、保持能力を選択できるその実質的に部分円形の末端部分と、直線部分のモジュール構造を含む請求項３記載の甲殻類の幼生養殖装置。
【請求項５】
該コーナーと直線部分がプラスチック材料で成型され、ボルト締めされてアセンブリーとされ、環状水路を形成する請求項３または４記載の甲殻類の幼生養殖装置。
【請求項６】
タンクが１ｍ未満の深さを有する請求項２〜５いずれか１項記載の甲殻類の幼生養殖装置。
【請求項７】
養殖液の深さを１０〜２０ｃｍに維持する請求項２〜６いずれか１項記載の甲殻類の幼生養殖装置。
【請求項８】
タンクが積み重ね配列に適応する請求項２〜７いずれか１項記載の甲殻類の幼生養殖装置。
【請求項９】
水出口が、巡回路の周囲を一定の流れで、連続した一方向の循環を促進するために指向された複数のノズルを含んでなる請求項２〜８いずれか１項記載の甲殻類の幼生養殖装置。
【請求項１０】
使用中のノズルが６ｍ／分未満の流速を有する請求項９記載の甲殻類の幼生養殖装置。
【請求項１１】
流量が、タンク内の養殖液の循環を維持する最低の流量である請求項１０記載の甲殻類の幼生養殖装置。
【請求項１２】
該複数の出口が線形または環状幹線マニホールドで該連続供給源に接続されている請求項２〜１１いずれか１項記載の甲殻類の幼生養殖装置。
【請求項１３】
線形または環状幹線マニホールドが、養殖液の選択した水面より上のタンクの上部周辺に配置され、該出口がタンクの底部にあり、滴下器でマニホールドと接続されている請求項１２記載の甲殻類の幼生養殖装置。
【請求項１４】
タンクが環状タンクで、マニホールドの１つがタンクの内および外壁部位の各々に配置されている請求項１３記載の甲殻類の幼生養殖装置。
【請求項１５】
複数の出口がノズルを含んでなり、水平の循環が、該ノズルを所望の循環方向成分を有する方向に向け、方向成分をタンクの壁の内側に指向させることにより行われる請求項２〜１４いずれか１項記載の甲殻類の幼生養殖装置。
【請求項１６】
養殖液供給源が循環、非循環および部分的循環供給源から選択される連続的供給源である請求項２〜１５いずれか１項記載の甲殻類の幼生養殖装置。
【請求項１７】
養殖液の１μｍ未満の粒径を濾過する請求項２〜１６いずれか１項記載の甲殻類の幼生養殖装置。
【請求項１８】
養殖液が物理的、化学的または照射手段の１種以上で滅菌されている請求項２〜１７いずれか１項記載の甲殻類の幼生養殖装置。
【請求項１９】
滅菌がＵＶ滅菌、サブミクロン濾過、塩素滅菌／中和、酸性化／中和およびオゾン化の１種以上である請求項１８記載の甲殻類の幼生養殖装置。
【請求項２０】
排水手段が約１ｍｍのサイズのメッシュを有するメッシュ付排水開口を備えている請求項２〜１９いずれか１項記載の甲殻類の幼生養殖装置。
【請求項２１】
メッシュ付排水開口が、使用時、該複数の出口を通過する出口流速よりも小さく選択した流出速度を有するように選択されている請求項２０記載の甲殻類の幼生養殖装置。
【請求項２２】
排水手段が養殖液水面を１０〜２０ｃｍとするようにセットされた表面排水管を含んでなる請求項２０または２１記載の甲殻類の幼生養殖装置。
【請求項２３】
表面排水管が長さを調節できる立て管にセットされている請求項２２記載の甲殻類の幼生養殖装置。
【請求項２４】
タンクにカバー手段が備えられ、該カバー手段およびタンクが、使用時し、周囲の光を実質的に透さないように選択されている請求項２〜２３いずれか１項記載の甲殻類の幼生養殖装置。
【請求項２５】
温度制御手段がサーモスタットを含み、ヒーターおよびチラーの一方または両方を含んでなる請求項２〜２４いずれか１項記載の甲殻類の幼生養殖装置。
【請求項２６】
温度制御手段が養殖液の温度を、選択した温度±０．５℃の温度を維持するように選択される請求項２５記載の甲殻類の幼生養殖装置。
【請求項２７】
幼生がモートン・ベイ・バッグ（Moreton Bay Bugs）のフィロソマ（phyllosoma）幼生であり、養殖液の温度を２６〜２７℃に維持する請求項１記載の方法。
【請求項２８】
タンクに導入する幼生供給源の温度と実質的に同じ温度±０．５℃に維持する請求項１または２７記載の方法。
【請求項２９】
養殖液の塩度を２５〜４０ｐｐｔの範囲に維持する請求項２７または２８記載の方法。
【請求項３０】
塩度の変動が１日当たり、±１ｐｐｔ未満である請求項２９記載の方法。
【請求項３１】
ｐＨ水準を７−９の間に保持する請求項２７または２９記載の方法。
【請求項３２】
養殖水の酸素濃度を２６〜２７℃で少なくとも７ｐｐｍに維持するように該循環および放養密度を選択する請求項２７または２８記載の方法。
【請求項３３】
フィロソマ幼生の最大放養密度が：
１Ｌ当たり４０第１齢幼生
１Ｌ当たり２５第２齢幼生
１Ｌ当たり１０第３齢幼生、および
１Ｌ当たり５第４齢幼生である請求項３２記載の方法。
【請求項３４】
実質的に実施例に言及して定義されているテヌス・エス・ピー・ピーの幼生の養殖方法。
【請求項３５】
微藻類（microalgea）および珪藻類から選択される強化成分で養殖された軟体動物から由来する軟体動物肉チョップを含んでなる甲殻類幼生餌料組成物。
【請求項３６】
軟体動物肉がトナックス・エス・ピー・ピー（Donax spp.）由来のものである請求項３５記載の甲殻類幼生餌料組成物。
【請求項３７】
強化成分がナンノクロロプシス・エス・ピー・ピー（Nannochloropsis spp.）、イソクルシス・エス・ピー・ピー（Ishochrosis spp.）、ケトセロス・エス・ピー・ピー（Chaetoceros spp.）およびパブロバ・エス・ピー・ピー（Pavlova spp.）から選択される請求項３５記載の甲殻類幼生餌料組成物。